(57)【要約】【課題】表示の判読性が良好な車両用表示装置を提供する。【解決手段】車両用表示装置１００は、指標部２４を形成した表示板２０の背面側に指針本体部８１の一部を配置するとともに、その先端部８６を表示板２０の外周縁２８に配置して指針本体部８１を駆動することによって先端部８６を表示板２０の外周縁２８に沿って可動させるようにしている。車両用表示装置１００は、指針本体部８１の側面に、光源の光を受光して発光する発光部８８を備える。発光部８８は、指針本体部８１の可動に伴って可動し、発光部８８の光によって表示板２０を背面側から透過照明して表示板２０の指標部２４を含めた部分を発光させる。【選択図】図１
2018194340.tif 000002
【特許請求の範囲】
【請求項１】
指標部（２４）を形成した表示板（２０）の背面側に指針本体（８１）の一部を配置するとともに、その先端部（８６）を前記表示板の外周縁（２８）に配置して前記指針本体を駆動することによって前記先端部を前記表示板の前記外周縁に沿って可動させるようにした車両用表示装置であって、
前記指針本体の側面に、光源の光を受光して発光する発光部（８８）を備え、
前記発光部は、前記指針本体の可動に伴って可動し、前記発光部の光によって前記表示板を背面側から透過照明して前記表示板の前記指標部を含めた部分を発光させる車両用表示装置。
【請求項２】
前記発光部は、前記指標部のうち前記発光部と重なった箇所の輝度が、前記発光部とずれた箇所の輝度よりも、高くなるように、前記指標部を発光させる請求項１に記載の車両用表示装置。
【請求項３】
前記指標部は、目盛の形状をなす目盛指標（２５）及び文字の形状をなす文字指標（２６）を有し、
前記先端部は、前記表示板よりも視認側において、前記指標部と重なって配置され、
前記先端部は、
前記目盛指標と重なった箇所において、着色により前記先端部の指示位置を表示する着色表示部（８６ａ）と、
前記文字指標と重なった箇所において、透明に形成されることにより、前記文字指標を視認側に透過表示させる透明表示部（８６ｂ）と、を有する請求項１又は２に記載の車両用表示装置。
【請求項４】
前記指針本体は前記先端部が前記表示板の前記外周縁に沿って回動するように設定されており、
前記指標部は、互いに円環状に配列された複数の指標（２５，２６）を有し、
前記発光部は、扇形状の発光面（９０）を有する請求項１から３のいずれか１項に記載の車両用表示装置。
【請求項５】
前記表示板の前記外周縁に沿って円周状に開口し、前記指針本体を通過させる開口部（４２）と、
前記開口部よりも視認側に配置され、前記指標部とは別に設けられ、前記外周縁を外周側から囲む追加指標部（４５）と、
前記指針本体よりも背面側に配置され、前記光源の光を導光して、前記開口部を通じて前記追加指標部を照明する導光部材（６０）と、をさらに備える請求項４に記載の車両用表示装置。
【発明の詳細な説明】
【技術分野】
【０００１】
本開示は、車両用表示装置に関する。
【背景技術】
【０００２】
従来、車両用表示装置が知られている。特許文献１に開示の車両用表示装置は、指標部を形成した表示板（前面カバー）の背面側に指針本体の一部を配置するとともに、その先端部を表示板の外周縁に配置して指針本体を駆動することによって当該先端部を表示板の外周縁に沿って可動させるようにしている。
【０００３】
ここで、表示板に設けられた指標部は、開口を通して収納ケース内に取り込んだ光と、表示板の壁部から取り込んだ光とによって照明される。こうした光は、背面側の回路基板に配置された光源により供給されている。
【先行技術文献】
【特許文献】
【０００４】
【特許文献１】特開２０１０−２５６６４号公報
【発明の概要】
【発明が解決しようとする課題】
【０００５】
しかしながら、特許文献１では、光源と、表示板の指標部が形成された箇所との間に、収納ケース及び指針本体が配置されており、指標部の照明が良好に行えないことが懸念されている。例えば、指標部のうち指針本体と重なる箇所では、指針本体が邪魔となって、照明を良好に行えずに、輝度が低下し、当該箇所の読み取りが不鮮明になり易い。
【０００６】
開示されるひとつの目的は、表示の判読性が良好な車両用表示装置を提供することにある。
【課題を解決するための手段】
【０００７】
ここに開示された車両用表示装置は、指標部（２４）を形成した表示板（２０）の背面側に指針本体（８１）の一部を配置するとともに、その先端部（８６）を表示板の外周縁（２８）に配置して指針本体を駆動することによって先端部を表示板の外周縁に沿って可動させるようにした車両用表示装置であって、
指針本体の側面に、光源の光を受光して発光する発光部（８８）を備え、
発光部は、指針本体の可動に伴って可動し、発光部の光によって表示板を背面側から透過照明して表示板の指標部を含めた部分を発光させる。
【０００８】
このような車両用表示装置では、指針本体のうち表示板の背面側に配置された一部の側面に、光源の光を受光して発光する発光部が設けられている。この発光部は、指針本体の可動に伴って可動する。したがって、例えば、指標部のうち指針本体の重なる箇所では、発光部の光によって表示板が背面側から透過照明される。故に、指針本体の先端部が指示する指標部を含めた部分は、発光部の照明によって、読み取り鮮明に発光表示され得る。以上により、表示の判読性が良好な車両用表示装置を提供することができる。
【０００９】
なお、括弧内の符号は、後述する実施形態の部分との対応関係を例示的に示すものであって、技術的範囲を限定することを意図するものではない。
【図面の簡単な説明】
【００１０】
【図１】一実施形態における車両用表示装置を示す部分正面図である。
【図２】図１のII−II線断面図である。
【図３】一実施形態における指針の正面図である。
【図４】一実施形態における指針の側面図である。
【図５】図３のV−V線断面図である。
【図６】一実施形態における指針の背面図である。
【発明を実施するための形態】
【００１１】
一実施形態を図面に基づいて説明する。
【００１２】
図１に示すように、本開示の一実施形態による車両用表示装置１００は、車両に搭載され、当該装置１００を視認する乗員が着座する座席と対向するインストルメントパネルに設置されている。車両用表示装置１００は、乗員が位置することとなる視認側へ向けて車両の情報を表示可能となっている。なお、以下では、視認側の反対側を背面側と称して説明する。
【００１３】
このような車両用表示装置１００は、図２にも示すように、透光板１０、ロアーケース１２、実装基板１４、表示板２０、画像表示部３０、反射部材３４、リング部材４０、光源部５０、導光部材６０、指針駆動部７０及び指針８０等により構成されている。
【００１４】
透光板１０は、車両用表示装置１００において最も視認側に配置され、例えばアクリル樹脂等の合成樹脂により透光性又は半透光性の板状に形成されている。本実施形態の透光板１０は、スモーク調の着色により、透過率が３０％程度に設定されているが、３０％以上の任意の値に設定されていてもよい。
【００１５】
ロアーケース１２は、車両用表示装置１００において最も背面側に配置され、例えば遮光性を有する合成樹脂により形成されている。ロアーケース１２は、実装基板１４を背面側から保持している。
【００１６】
実装基板１４は、例えば合成樹脂により平板状に形成されている。実装基板１４には、指針駆動部７０、及び光源部５０の発光素子５１等が実装及び保持されている。
【００１７】
表示板２０は、一般的に文字板とも呼ばれている板状部材であり、実装基板１４よりも視認側かつ透光板１０よりも背面側に配置されている。表示板２０は、例えばアクリル樹脂又はポリカーボネイト樹脂等の合成樹脂からなる透光性の基材の板面に、印刷等の加工が施されて円形の平板状に形成されている。
【００１８】
具体的に本実施形態の表示板２０では、視認側を向く板面２１ａにおいて、スモーク調の印刷が施されている。こうしたスモーク調の印刷により形成されたスモーク層により、例えば車外から透光板１０を透過して表示板２０に入射した外光の視認側への反射を緩和することができる。
【００１９】
また背面側を向く板面２１ｂにおいては、半透光性の白色の印刷、遮光性の黒色の印刷、及びスモーク調の印刷が順々に施されている。ここで、黒色の印刷により形成された黒色層は、板面２１ｂの一部分に形成されている。黒色層が設けられた領域は、背面側からの照明を遮光する遮光領域２３となっている一方、黒色層が設けられていない領域は、背面側から照明される光を透過可能な透過領域２２となっている。
【００２０】
透過領域２２が所定の配置及び形状をなすことで、指針８０に指示される指標部２４が表示板２０上に形成されている。指標部２４は、目盛の形状をなす目盛指標２５、及び文字の形状をなす文字指標２６を有している。各指標２４，２５は、互いに部分円環状に配置されている。より詳細に、目盛指標２５は、表示板２０において円周状に形成された外周縁２８に隣接するように、所定の角度範囲をなす部分円弧状に複数の目盛を配列して設けられている。文字指標２６は、目盛指標２５の内周側に配置され、複数の目盛のうち一部に対応して、当該目盛が示す車両の情報を表す文字を形成している。特に本実施形態では、指標部２４は、車両の情報として、車両の速度を表すようになっており、文字指標２６は、所定のピッチである２０ｋｍ／ｈ毎に、速度を表記する複数の数字により構成されている。
【００２１】
本実施形態では、指標部２４よりもさらに内周側において、透過領域２２により、表示板２０の中心部から放射状に伸びる放射模様が、目盛指標２５が設けられた角度範囲に対応して形成されている。さらに表示板２０の中心部では、円形状の開口部２０ａが設定されている。
【００２２】
画像表示部３０は、表示板２０よりも背面側において、当該表示板２０の開口部２０ａに配置された液晶表示器３１を有している。本実施形態の液晶表示器３１は、薄膜トランジスタ（Thin Film Transistor、ＴＦＴ）を用いた透過型ＴＦＴ液晶パネルであって、２次元方向に配列された複数の液晶画素から形成されるアクティブマトリクス型の液晶パネルが採用された表示器となっている。液晶表示器３１は、視認側に画像を表示する円形状の表示面３１ａを有している。なお、本実施形態では表示面３１ａに車両の自動変速機のシフト位置（シフトレンジ）の状態が表示されている。
【００２３】
またなお、画像表示部３０において、液晶表示器３１に代えて、例えば有機ＥＬディスプレイ等の他方式の表示器が採用されていてもよい。
【００２４】
反射部材３４及びリング部材４０は、互いに組み合わされて、背面側から表示板を照明するための照明空間ＳＰを形成している。
【００２５】
このうち反射部材３４は表示板２０よりも背面側に配置されている。反射部材３４は、例えば遮光性を有する合成樹脂により形成され、ネジによってケース側に締結されている。反射部材３４は、表示板２０の中心部に中心軸を合わせた有底円筒状の大筒部３５を有している。大筒部３５のうち、円筒の側壁部分をなす側壁部３６には、リング部材４０の一部が内嵌されている。反射部材３４は、照明空間ＳＰ内の光を反射して外部への漏光を抑制すると共に、当該光を照明のために再利用させる。
【００２６】
大筒部３５のうち、円筒の底部分をなす底部３７は、背面側において実装基板１４と対向する円板状を呈している。底部３７の中心部には、光源部５０及び指針駆動部７０の内機シャフト７１を配置するための開口穴３８ａを有する円筒状の小筒部３８が設けられている。小筒部３８の背面側の端部は、実装基板１４と当接している。
【００２７】
リング部材４０は、外周リング部４１及び追加指標部４５を有している。外周リング部４１は、例えば遮光性を有する合成樹脂により、円筒状に形成されている。外周リング部４１は、表示板２０の外周縁２８と全周に亘って対向するように配置されている。これにより、表示板２０の外周縁２８と外周リング部４１との間には、当該外周縁２８に沿って円周状に開口する開口部４２が形成されている。また、外周リング部４１の外周壁４３は、外周側に露出していると共に、例えば黒色ないしはシルバー色に塗装されていることで、乗員により視認可能に構成されており、表示板２０の周囲を加飾している。さらに外周リング部４１の視認側端部は、表示板２０よりも視認側に突出すると共に、内周側に張り出した爪状の爪部４４を全周に亘って形成している。こうした爪部４４の視認側の表面も、外周壁４３と同様に塗装されている。
【００２８】
追加指標部４５は、複数の目盛プレート４６により構成されている。各目盛プレート４６は、熱かしめにより、外周リング部４１の爪部４４に対して固定されている。各目盛プレート４６は、表示板２０に形成された指標部２４に合わせて、より詳細には文字指標２６に対応する位置に、乗員から視認可能にそれぞれ配置されている。各目盛プレート４６は、表示板２０の目盛指標２５と方向を合わせるように伸びる目盛の形状を呈している。こうして追加指標部４５は、開口部４２よりも視認側において、表示板２０の指標部２４とは別に、外周縁２８を外周側から囲むように形成されている。
【００２９】
光源部５０は、光源として、複数の発光素子５１を有している。各発光素子５１は、反射部材３４の小筒部３８内において、実装基板１４の視認側に保持されて配置されている。本実施形態の各発光素子５１には、発光ダイオードが採用されており、各発光素子５１は、実装基板１４上の配線パターンを通じて電源と接続されることで、視認側へ向けて光源光を発するようになっている。なお、各発光素子５１は、単色に発光する発光素子でもよく、色の切り替えが可能なマルチカラーの発光素子であってもよい。
【００３０】
導光部材６０は、表示板２０よりも背面側の照明空間ＳＰ内において、例えばアクリル樹脂又はポリカーボネイト樹脂等の合成樹脂からなる基材により、透光性の円板状に形成されている。導光部材６０の中心部には、指針駆動部７０の内機シャフト７１を挿通するための挿通穴６０ａが設けられている。
【００３１】
導光部材６０の内周部には、光源光を当該導光部材６０の内部に導入する導入部６１が、光源部５０の各発光素子５１と対向する円環状かつ平面状に設けられている。内周部において導入部６１とは反対側の視認側には、導光反射部６２が設けられている。
【００３２】
導光反射部６２は、視認側へ向かう程、外周側へ伸びて傾斜する部分円錐面状を呈している。導光反射部６２は、その外径を導入部６１の外径よりも小径に形成されていることで、導入部６１のうち内周側の一部分と、導光部材６０の基材を挟んで対向している。
【００３３】
導光透過部６３は、導光反射部６２よりも外周側に配置され、外周部まで延設された円環状かつ平面状を呈している。導光透過部６３は、その内径を導入部６１の外形よりも小径に形成されていることで、その導入部６１のうち外周側の一部分と、導光部材６０の基材を挟んで対向している。
【００３４】
導光部材６０の背面側において、導入部６１よりも外周側には、円環状かつ平面状の背面部６４が設けられている。背面部６４は、反射部材３４の底部３７と当接している。
【００３５】
導光部材６０の外周部には、傾斜部６５及び導出部６６が設けられている。傾斜部６５は、外周側へ向かう程視認側へ伸びるように傾斜している。導出部６６は、傾斜部６５の先端に配置され、視認側を向いている。導出部６６は、開口部４２を挟んで追加指標部４５と対向する平面状に形成された円環状を呈している。
【００３６】
こうした導光部材６０において、導入部６１から導入された光源光のうち一部は、導光透過部６３のうち導入部６１と対向する部分を視認側へそのまま透過する。光源光のうち透過した一部は、指針８０に導入される。
【００３７】
導入部６１から導入された光源光のうち他部は、導光反射部６２により外周側へと反射される。導光反射部６２により反射された光源光は、導光部材６０の内部、より詳細には導光透過部６３と背面部６４との間を外周側へ進むこととなる。
【００３８】
さて、背面部６４の内周側は、例えば鏡面状に形成されていることにより、外周側へ光源光を導く導光機能を重視して設定されている。背面部６４の外周側は、例えば粗面状に形成されることないしは白色等のホットスタンプが施されること等により、導光機能に加えて照明機能も高められている。このため、導光部材６０のうち比較的外周側の表示板２０と対向する箇所では、背面部６４に入射した光源光が拡散作用を受けた後、導光透過部６３を透過して、表示板２０を背面側から照明する。
【００３９】
一方、導光部材６０の外周部まで到達した光源光は、傾斜部６５にて向きを変え、導出部６６から導光部材６０の外部へと射出され、さらには開口部４２を視認側へ通過し、追加指標部４５の各目盛プレート４６を照明する。
【００４０】
指針駆動部７０は、指針８０を駆動させる駆動機構として設けられている。本実施形態において指針駆動部７０には、例えば交差コイル式ゲージが採用されているが、ステッピングモータが採用されてもよい。指針駆動部７０は、実装基板１４において背面側に保持されており、制御回路による制御に従って駆動する。具体的に、指針駆動部７０は、実装基板１４を貫通して当該実装基板１４よりも視認側に配置された内機シャフト７１を回動させることが可能となっている。内機シャフト７１は、指針８０が回動する中心軸である指針軸ＡＸに沿って延伸している。
【００４１】
指針８０は、図３〜６にも示すように、例えばアクリル樹脂又はポリカーボネイト樹脂等の合成樹脂からなる基材により、透光性に形成され、全体としてはＵ字状（コの字状）に折れ曲がって形成されている。指針８０は、指針本体部８１、及び当該指針本体部８１のうち表示板２０よりも背面側に配置された一部の側面に張り出して形成された発光部８８等により構成されている。指針本体部８１は、指針本体として、その一部が表示板２０よりも背面側に配置され、連結部８２、おもり積載部８３、延伸部８４、接続部８５、及び先端部８６等により構成されている。
【００４２】
連結部８２は、表示板２０よりも背面側の照明空間ＳＰにおいて、指針軸ＡＸ上に配置されている。連結部８２は、挿入孔８２ａを有している。挿入孔８２ａに内機シャフト７１が圧入されていることにより、指針８０は指針駆動部７０と連結され、内機シャフト７１と共に回動するようになっている。
【００４３】
おもり積載部８３は、連結部８２と接続され、連結部８２を挟んで延伸部８４とは反対側に配置されている。おもり積載部８３には、おもり８３ａが積載されることにより、延伸部８４側の重量とのバランスがとられ、指針８０が円滑に回動するようになっている。
【００４４】
延伸部８４は、連結部８２と接続され、連結部８２を挟んでおもり積載部８３とは反対側に配置されていることで、表示板２０よりも背面側の照明空間ＳＰ内に配置されている。延伸部８４は、内周側の連結部８２から外周側へ延伸する棒状に形成されている。延伸部８４において内周側の端部には、指針受光部８４ａ及び指針反射部８４ｂが設けられている。
【００４５】
指針受光部８４ａは、指針８０において背面側を向き、導光部材６０の導光透過部６３のうち内周側の一部分と対向して配置されている。したがって、前述のように導光透過部６３のうち導入部６１と対向する部分を視認側へそのまま透過した光源光を、指針受光部８４ａが受光することで、延伸部８４の内部に導入されるようになっている。
【００４６】
指針反射部８４ｂは、視認側へ向かう程外周側へ伸びて傾斜した傾斜面状に形成されている。指針反射部８４ｂは、指針受光部８４ａから指針８０の内部に導入された光源光を、外周側へ向けて反射する。指針反射部８４ｂに反射された光源光は、延伸部８４を外周側へ導光されるものの他、発光部８８に導入される。
【００４７】
延伸部８４は、内周側から外周側に亘って実質一定の太さに形成されており、延伸部８４において視認側の面及び背面側の面は、鏡面状に形成されている。こうした面に反射されながら、延伸部８４に導入された光源光は、外周側へ導光され、接続部８５へ到達する。
【００４８】
接続部８５は、延伸部８４と先端部８６とを接続している。具体的に接続部８５は、背面側から視認側へと延伸する棒状に形成され、背面側を延伸部８４の外周側の端部と接続されていると共に、視認側を先端部８６と接続されている。接続部８５が開口部４２に挿通され、当該開口部４２を通過していることで、先端部８６は、表示板２０の外周縁２８に配置されることとなる。
【００４９】
本実施形態において先端部８６は、表示板２０よりも視認側かつ追加指標部４５よりも背面側に配置されている。先端部８６は、接続部８５と接続され、外周縁２８に配置される接続箇所から、内周側へ延伸して設けられている。先端部８６は、表示板２０の指標部２４と隙間を空けつつ重なって配置されている。そして、指針本体部８１を指針駆動部７０により駆動することによって、先端部８６は、表示板２０の外周縁２８に沿って可動するようになっている。特に本実施形態では、外周縁２８が円周状に形成されているので、先端部８６も当該外周縁２８に沿って回動する。
【００５０】
先端部８６は、２箇所の着色表示部８６ａ，８６ｃと、当該２箇所の着色表示部８６ａ，８６ｃに挟まれて配置された透明表示部８６ｂと、を有している。
【００５１】
図１に示すように、着色表示部８６ａ，８６ｃは、先端部８６の視認側の面に例えば赤色の塗装又はホットスタンプが施されること等により、例えば遮光性に着色されて形成されている。２箇所の着色表示部８６ａ，８６ｃのうち外周側の着色表示部８６ａは、指標部２４のうち目盛指標２５と重なるように配置されている。こうして着色表示部８６ａは、目盛指標２５と重なった箇所において、着色により先端部８６の指示位置を明確に表示している。２箇所の着色表示部８６ａ，８６ｃのうち外周側の着色表示部８６ｃは、内周側の放射模様２７と隙間を空けつつ重なるように配置されている。
【００５２】
透明表示部８６ｂは、視認側の面を着色表示部８６ａ，８６ｃよりも背面側に凹ませると共に、着色が施されないことにより透明に形成されている。透明表示部８６ｂは、指標部２４のうち文字指標２６と重なるように配置されている。こうして透明表示部８６ｂは、文字指標２６と重なった箇所において、当該文字指標２６を視認側に透過表示する。文字指標２６の透過表示によって、先端部８６が文字指標２６と重なった状態であっても、乗員は当該文字指標２６が表す内容を確実に読み取ることができる。
【００５３】
発光部８８は、指針本体部８１の延伸部８４から周方向両側の側方に張り出して、扇形状に形成されている。発光部８８において背面側は、円弧状に延びている複数の溝により凹凸が形成された凹凸部８９を有している。一方、発光部８８において視認側の面は、平面状かつ鏡面状に形成された発光面９０となっている。したがって、発光部８８に導入された光源光は、凹凸部８９により視認側へと拡散反射され、扇形状の発光面９０を透過する。故に発光部８８は、指針本体部８１の側面において、光源光を受光して視認側の表示板２０へ向けて発光する。
【００５４】
先端部８６によって指示される表示板２０の指標部２４、及び放射模様２７は、背面側の照明空間ＳＰから照明される。ここで、表示板２０のうち、発光部８８と対向していない領域Ｒ０は、導光部材６０の導光透過部６３等からぼんやりと照明される。一方、表示板２０のうち発光部８８と対向している扇形状の領域Ｒ１では、導光部材６０よりも近接している発光部８８から比較的大きな照度で照明される。
【００５５】
この結果、指標部２４のうち発光部８８とずれた領域Ｒ０では、指標部２４が低い輝度で発光するのに対して、指標部２４のうち発光部８８と重なった領域Ｒ１では、指標部２４が領域Ｒ０よりも高い輝度で発光する。
【００５６】
そして、発光部８８は指針本体部８１の可動に伴って可動するので、領域Ｒ１も先端部８６の指示位置と共に移動することとなる。したがって、先端部８６の指示位置の近傍はで、常時、指標部２４が高い輝度で発光することとなる。
【００５７】
なお、図２では、破線の矢印によって、光の進み方が大まかに示されている。
【００５８】
（作用効果）
以上説明した本実施形態の作用効果を改めて説明する。
【００５９】
本実施形態によると、指針本体部８１のうち表示板２０の背面側に配置された一部の側面に、光源の光を受光して発光する発光部８８が設けられている。この発光部８８は、指針本体部８１の可動に伴って可動する。したがって、例えば、指標部２４のうち指針本体部８１の重なる箇所では、発光部８８の光によって表示板２０が背面側から透過照明される。故に、指針本体部８１の先端部８６が指示する指標部２４を含めた部分としての領域Ｒ１は、発光部８８の照明によって、読み取り鮮明に発光表示され得る。以上により、表示の判読性が良好な車両用表示装置１００を提供することができる。
【００６０】
また、本実施形態によると、発光部８８は、指標部２４のうち指針本体部８１と重なった箇所の輝度が、指針本体部８１とずれた箇所の輝度よりも、高くなるように、指標部２４を発光させる。このようにすると、指標部２４のうち先端部８６の指示位置近傍は、指標部２４の他の箇所より目立つこととなり、表示の判読性は一層良好となる。
【００６１】
また、本実施形態によると、先端部８６は、目盛指標２５と重なった箇所において、着色により先端部８６の指示位置を表示する着色表示部８６ａと、文字指標２６と重なった箇所において、透明に形成されることにより、文字指標２６を視認側に透過表示させる透明表示部８６ｂと、を有する。このようにすると、着色表示部８６ａが目盛指標２５と重なることで、先端部８６が指示する値の読み取りを容易としつつも、透明表示部８６ｂにより文字指標２６の視認が妨げられることが抑制されるため、値の文字表示の読み取りも容易となる。したがって、表示の判読性は一層良好となる。
【００６２】
また、本実施形態によると、指標部２４は、互いに円環状に配列された複数の指標２５，２６を有し、発光部８８は、扇形状の発光面９０を有する。したがって、円環状に配列された複数の指標２５，２６のうち、扇形状範囲に重なる指標２５，２６を発光部８８によって発光させ、あたかも表示板２０をレーダイメージのように見せることができる。
【００６３】
また、本実施形態によると、導光部材６０が光源の光を導光して、開口部４２を通じて追加指標部４５を照明する。接続部８５を通過させる開口部４２を利用して照明される追加指標部４５が、外周縁２８を外周側から囲んでいるので、追加指標部４５と発光部８８により発光する指標部２４とが相俟って、先端部８６の指示位置の読み取りは極めて容易となる。したがって、表示の判読性をより高めることができる。
【００６４】
（他の実施形態）
以上、一実施形態について説明したが、発明は、当該実施形態に限定して解釈されるものではなく、発明の要旨を逸脱しない範囲内において種々の実施形態に適用することができる。
【００６５】
具体的に変形例１としては、発光部８８は、扇形状以外の、矩形状、三角形状等に形成することができる。
【００６６】
変形例２としては、追加指標部４５が設けられていなくてもよい。
【００６７】
変形例３としては、指針８０は、Ｕ字状（コの字状）に形成されていなくてもよく、例えばＬ字状に形成されていてもよい。すなわち、先端部８６は、表示板２０の外周縁２８に配置されるものであれば、指標部２４と重なっていなくてもよい。
【００６８】
変形例４としては、先端部８６は、表示板２０の外周縁２８に沿って可動するものであれば、指針軸ＡＸまわりに回動する構成でなくてもよい。例えば、表示板２０の外周縁２８が直線状に形成され、指針本体部８１が直線的に移動することで、先端部８６が当該外周縁２８に沿って可動する構成であってもよい。
【符号の説明】
【００６９】
１００  車両用表示装置、２０  表示板、２４  指標部、２８  外周縁、８１  指針本体部（指針本体）、８６  先端部、８８  発光部
【図１】
2018194340.tif 000003
【図２】
2018194340.tif 000004
【図３】
2018194340.tif 000005
【図４】
2018194340.tif 000006
【図５】
2018194340.tif 000007
【図６】
2018194340.tif 000008